(57)【要約】【課題】レンズ鏡胴の光軸方向への収納動作を利用して、ブレ補正レンズ部のみを、ブレ補正機構を伴わずに光軸直交方向に退避させるレンズ鏡胴、およびこのようなレンズ鏡胴を備えた撮影装置を提供することを目的とする。【解決手段】被写体像のブレが補正されるようにブレ補正駆動機構で駆動される、付勢部材（ねじりバネ）３００で進出位置に向けて付勢され進出位置に進出した状態にあるブレ補正レンズ２４０を保持するブレ補正レンズ保持枠２４１が、レンズ鏡胴１００の撮影状態から収納状態への移動の途中で、レンズ鏡胴１００の結像側から被写体側に向かって突出し光軸方向に対し斜め方向に向いた斜面２８１１が先端に形成された突起２８１の斜面２８１１で押されることにより、ブレ補正レンズ保持枠２４１が、付勢部材３００による付勢力に抗して進出位置から退避位置に回動する。【選択図】        図４
2011170262.tif 000002
【特許請求の範囲】
【請求項１】
被写体像のブレを補正するブレ補正レンズを含む、被写体を結像して該被写体像を形成する結像レンズを内蔵し、相対的に筒長の短い収納状態と相対的に筒長の長い撮影状態との間で筒長の変更が自在なレンズ鏡胴において、
前記ブレ補正レンズを保持するブレ補正レンズ保持枠と、
前記ブレ補正レンズ保持枠に保持された前記ブレ補正レンズが光軸上に進出した進出位置と該光軸から退避した退避位置との間で進出退避自在に前記ブレ補正レンズ保持枠を保持し、前記進出位置に進出した状態にある前記ブレ補正レンズにより前記被写体像のブレが補正されるように前記ブレ補正レンズ保持枠を駆動するブレ補正駆動機構と、
当該レンズ鏡胴の、前記撮影状態から前記収納状態への移動の途中で前記ブレ補正レンズ保持枠を前記進出位置から前記退避位置に退避させる退避作用部材とを備えたことを特徴とするレンズ鏡胴。
【請求項２】
前記ブレ補正駆動機構が、前記ブレ補正レンズ保持枠を、前記進出位置と前記退避位置との間で回動自在に軸支したものであって、
前記ブレ補正レンズ保持枠を前記進出位置に向けて付勢する付勢部材を備え、
前記退避作用部材が、当該レンズ鏡胴の結像側から被写体側に向かって突出し光軸方向に対し斜め方向に向いた斜面が先端に形成され、当該レンズ鏡胴の、前記撮影状態から前記収納状態への移動の途中で前記ブレ補正レンズ保持枠を前記斜面で押すことにより、前記付勢部材による付勢力に抗して該ブレ補正レンズ保持枠を前記進出位置から前記退避位置に回動させる突起であることを特徴とする請求項１記載のレンズ鏡胴。
【請求項３】
前記ブレ補正駆動機構が、
前記筒長の変更に伴って光軸方向に直線的に移動して前記ブレ補正レンズ保持枠の光軸方向の位置を規定するブレ補正レンズガイド枠と、
前記光軸に直交するＸＹ平面内のＸ方向にスライド自在に前記ブレ補正レンズガイド枠に支持された第１スライダと、
前記光軸に直交するＸＹ平面内のＹ方向にスライド自在に前記第１スライダに支持される、前記ブレ補正レンズ保持枠を軸支した第２スライダと、
前記第２スライダを、前記第１スライダを介して、前記ＸＹ平面内で前記ブレ補正レンズガイド枠に対し相対的に移動させる駆動部材とを有し、
前記駆動部材が、
前記第２スライダ上に固定されたコイルと、
前記ブレ補正レンズガイド枠上の前記コイルと対向する位置に固定されたマグネットとを有することを特徴とする請求項１または２記載のレンズ鏡胴。
【請求項４】
被写体光を捉えることにより撮影を行う撮影装置において、
被写体像のブレを補正するブレ補正レンズを含む、被写体を結像して該被写体像を形成する結像レンズを内蔵し、相対的に筒長の短い収納状態と相対的に筒長の長い撮影状態との間で筒長の変更が自在なレンズ鏡胴を備え、
前記レンズ鏡胴が、
前記ブレ補正レンズを保持するブレ補正レンズ保持枠と、
前記ブレ補正レンズ保持枠に保持された前記ブレ補正レンズが光軸上に進出した進出位置と該光軸から退避した退避位置との間で進出退避自在に前記ブレ補正レンズ保持枠を保持し、前記進出位置に進出した状態にある前記ブレ補正レンズにより前記被写体像のブレが補正されるように前記ブレ補正レンズ保持枠を駆動するブレ補正駆動機構と、
当該レンズ鏡胴の、前記撮影状態から前記収納状態への移動の途中で前記ブレ補正レンズ保持枠を前記進出位置から前記退避位置に退避させる退避作用部材とを備えたことを特徴とする撮影装置。
【請求項５】
前記ブレ補正駆動機構が、前記ブレ補正レンズ保持枠を、前記進出位置と前記退避位置との間で回動自在に軸支したものであって、
前記ブレ補正レンズ保持枠を前記進出位置に向けて付勢する付勢部材を備え、
前記退避作用部材が、当該レンズ鏡胴の結像側から被写体側に向かって突出し光軸方向に対し斜め方向に向いた斜面が先端に形成され、当該レンズ鏡胴の、前記撮影状態から前記収納状態への移動の途中で前記ブレ補正レンズ保持枠を前記斜面で押すことにより、前記付勢部材による付勢力に抗して該ブレ補正レンズ保持枠を前記進出位置から前記退避位置に回動させる突起であることを特徴とする請求項４記載の撮影装置。
【請求項６】
前記ブレ補正駆動機構が、
前記筒長の変更に伴って光軸方向に直線的に移動して前記ブレ補正レンズ保持枠の光軸方向の位置を規定するブレ補正レンズガイド枠と、
前記光軸に直交するＸＹ平面内のＸ方向にスライド自在に前記ブレ補正レンズガイド枠に支持された第１スライダと、
前記光軸に直交するＸＹ平面内のＹ方向にスライド自在に前記第１スライダに支持される、前記ブレ補正レンズ保持枠を軸支した第２スライダと、
前記第２スライダを、前記第１スライダを介して、前記ＸＹ平面内で前記ブレ補正レンズガイド枠に対し相対的に移動させる駆動部材とを有し、
前記駆動部材が、
前記第２スライダ上に固定されたコイルと、
前記ブレ補正レンズガイド枠上の前記コイルと対向する位置に固定されたマグネットとを有することを特徴とする請求項４または５記載の撮影装置。
【発明の詳細な説明】
【技術分野】
【０００１】
本発明は、相対的に筒長の短い収納状態と相対的に筒長の長い撮影状態との間で筒長の変更が自在なレンズ鏡胴、およびこのようなレンズ鏡胴を備えそのレンズ鏡胴を通過してきた被写体光を捉えることにより撮影を行う撮影装置に関する。
【背景技術】
【０００２】
従来より、撮影装置においては、ズームレンズを構成するための複数のレンズを備えた結像レンズが多用されており、この点は従前の銀塩フィルム上に写真撮影を行なう銀塩カメラでも、近年の、撮影素子上に結像させて画像データを生成するタイプのデジタルカメラでも同様である。このような撮影装置の中には、携帯時の便宜のためにレンズ鏡胴がカメラボディ内に完全にあるいはある程度収納された収納状態と、カメラ本体から突出した撮影状態との間で筒長の変更が自在なレンズ鏡胴を備えたものがある。
【０００３】
また、このような筒長の変更が自在なレンズ鏡胴を備えた撮影装置の中には、結像レンズのうちのいずれかのレンズを、撮影状態から収納状態への移動の途中で光軸上から退避させるレンズ移動機構を有するものがある（例えば、特許文献１参照。）。このような撮影装置によれば、収納状態におけるレンズ鏡胴の光軸方向の薄型化が図られ、携帯性が向上する。
【０００４】
また、従来より、撮影装置の中には、ユーザの手ぶれ等による撮影画像の乱れを抑制するために像ブレ補正装置が内蔵されたものがある。
【０００５】
このような像ブレ補正装置として、結像レンズのうちのいずれかのレンズを光軸に直交する平面内で移動自在にしておいて、手ぶれに応じてそのレンズを動かすことにより像ブレを補正する像ブレ補正装置が知られている。
【０００６】
また、従来より、収納状態におけるレンズ鏡胴の光軸方向の薄型化を図るためのレンズ移動機構と、ユーザの手ぶれ等による撮影画像の乱れを抑制するための像ブレ補正装置との双方を備えた撮影装置が知られており、このような撮影装置の中には、レンズ移動機構と像ブレ補正装置とを共通化することにより、レンズ鏡胴の大型化を防止したものがある。
【０００７】
レンズ移動機構と像ブレ補正装置とを共通化した撮影装置として、例えば、複数枚のレンズを有するレンズ光学系と、振動を検出する振動検出手段と、上記被写体光の光路に位置し、上記レンズ光学系の光軸と垂直な平面内で移動し、振動時に生じる光学像の振れを補正するための可動部材と、物体側に向けて上記レンズ光学系の少なくとも一部のレンズを上記光軸と平行に移動させ、上記レンズ光学系の全長を長くするレンズ繰り出し動作と、像面側に向けて上記一部のレンズを移動させ、上記レンズ光学系の全長を短くするレンズ収納動作とを行うためのレンズ移動手段と、レンズ繰り出し動作時に、上記レンズ光学系の光路内に進入する進入位置に上記可動部材を移動させ、レンズ収納動作時に、上記レンズ光学系の光路外へ退避させる退避位置に上記可動部材を移動させる第１の可動部材制御手段と、上記振動検出手段により振動が検出された際に、上記光学像の振れを打ち消すのに必要な上記可動部材の移動量を算出し、算出された移動量に基づいて上記可動部材を移動させる第２の可動部材制御手段を備えたカメラが提案されている（例えば、特許文献２参照。）。
【先行技術文献】
【特許文献】
【０００８】
【特許文献１】特開２００４−３１７９４３号公報
【特許文献２】特開２００６−２４３７０１号公報
【発明の概要】
【発明が解決しようとする課題】
【０００９】
上記特許文献２に提案されたレンズ鏡胴によれば、物体側に撮影レンズを繰り出すレンズ繰り出し動作と撮影レンズを収納するレンズ収納動作を行うときに、撮影レンズの光路から退避させるために補正レンズを移動するためのレンズ退避機構を、手ぶれ等に起因する外部からの振動による光学像の振れを補正するための手振れ補正機構として兼用できる。
【００１０】
しかしながら、特許文献２に提案されたレンズ鏡胴では、ブレ補正動作を行わせる第１のアクチュエータが、ブレ補正レンズの退避用アーム部に設けられているため、その分ブレ補正兼退避用の第２のアクチュエータに余計な負荷がかかることとなり、第２のアクチュエータの推力が多く必要になる。また、ブレ補正用アクチュエータと退避用アクチュエータを兼用すると大きなストロークが必要のため、制御が困難である。
【００１１】
本発明は、上記事情に鑑み、レンズ鏡胴の光軸方向への収納動作を利用して、ブレ補正レンズ部のみを、ブレ補正機構を伴わずに光軸直交方向に退避させるレンズ鏡胴、およびこのようなレンズ鏡胴を備えた撮影装置を提供することを目的とするものである。
【課題を解決するための手段】
【００１２】
上記目的を達成する本発明のレンズ鏡胴は、
被写体像のブレを補正するブレ補正レンズを含む、被写体を結像してその被写体像を形成する結像レンズを内蔵し、相対的に筒長の短い収納状態と相対的に筒長の長い撮影状態との間で筒長の変更が自在なレンズ鏡胴において、
上記ブレ補正レンズを保持するブレ補正レンズ保持枠と、
上記ブレ補正レンズ保持枠に保持された上記ブレ補正レンズが光軸上に進出した進出位置とその光軸から退避した退避位置との間で進出退避自在に上記ブレ補正レンズ保持枠を保持し、上記進出位置に進出した状態にある上記ブレ補正レンズにより上記被写体像のブレが補正されるように上記ブレ補正レンズ保持枠を駆動するブレ補正駆動機構と、
当該レンズ鏡胴の、上記撮影状態から上記収納状態への移動の途中で上記ブレ補正レンズ保持枠を上記進出位置から上記退避位置に退避させる退避作用部材とを備えたことを特徴とする。
【００１３】
本発明のレンズ鏡胴は、被写体像のブレが補正されるようにブレ補正駆動機構で駆動される、進出位置に進出した状態にあるブレ補正レンズを保持するブレ補正レンズ保持枠が、当該レンズ鏡胴の撮影状態から収納状態への移動の途中で、そのブレ補正レンズ保持枠が、退避作用部材により、進出位置から退避位置に退避する。すなわち、本発明のレンズ鏡胴は、ブレ補正駆動機構で駆動されるブレ補正レンズが、レンズ鏡胴の撮影状態から収納状態への移動動作を利用して進出位置から退避位置に退避するため、ブレ補正レンズを進出位置から退避位置に退避させるための専用のアクチュエータが不要である。従って、本発明のレンズ鏡胴によれば、レンズ鏡胴の光軸方向への収納動作を利用して、ブレ補正レンズ部のみを、ブレ補正機構を伴わずに光軸直交方向に退避させるレンズ鏡胴が実現される。
【００１４】
ここで、本発明のレンズ鏡胴は、
「上記ブレ補正駆動機構が、上記ブレ補正レンズ保持枠を、上記進出位置と上記退避位置との間で回動自在に軸支したものであって、
上記ブレ補正レンズ保持枠を上記進出位置に向けて付勢する付勢部材を備え、
上記退避作用部材が、当該レンズ鏡胴の結像側から被写体側に向かって突出し光軸方向に対し斜め方向に向いた斜面が先端に形成され、当該レンズ鏡胴の、上記撮影状態から上記収納状態への移動の途中で上記ブレ補正レンズ保持枠を上記斜面で押すことにより、上記付勢部材による付勢力に抗してそのブレ補正レンズ保持枠を上記進出位置から上記退避位置に回動させる突起である」
ことが好ましい。
【００１５】
このような好ましい形態によれば、被写体像のブレが補正されるようにブレ補正駆動機構で駆動される、付勢部材で進出位置に向けて付勢され進出位置に進出した状態にあるブレ補正レンズを保持するブレ補正レンズ保持枠が、当該レンズ鏡胴の撮影状態から収納状態への移動の途中で、当該レンズ鏡胴の結像側から被写体側に向かって突出し光軸方向に対し斜め方向に向いた斜面が先端に形成された突起の斜面で押されることにより、そのブレ補正レンズ保持枠が、付勢部材による付勢力に抗して進出位置から退避位置に回動する。
【００１６】
また、本発明のレンズ鏡胴は、
「上記ブレ補正駆動機構が、
上記筒長の変更に伴って光軸方向に直線的に移動して上記ブレ補正レンズ保持枠の光軸方向の位置を規定するブレ補正レンズガイド枠と、
上記光軸に直交するＸＹ平面内のＸ方向にスライド自在に上記ブレ補正レンズガイド枠に支持された第１スライダと、
上記光軸に直交するＸＹ平面内のＹ方向にスライド自在に上記第１スライダに支持される、上記ブレ補正レンズ保持枠を軸支した第２スライダと、
上記第２スライダを、上記第１スライダを介して、上記ＸＹ平面内で上記ブレ補正レンズガイド枠に対し相対的に移動させる駆動部材とを有し、
上記駆動部材が、
上記第２スライダ上に固定されたコイルと、
上記ブレ補正レンズガイド枠上の上記コイルと対向する位置に固定されたマグネットとを有する」
ことが好ましい。
【００１７】
また、上記目的を達成する本発明の撮影装置は、
被写体光を捉えることにより撮影を行う撮影装置において、
被写体像のブレを補正するブレ補正レンズを含む、被写体を結像してその被写体像を形成する結像レンズを内蔵し、相対的に筒長の短い収納状態と相対的に筒長の長い撮影状態との間で筒長の変更が自在なレンズ鏡胴を備え、
上記レンズ鏡胴が、
上記ブレ補正レンズを保持するブレ補正レンズ保持枠と、
上記ブレ補正レンズ保持枠に保持された上記ブレ補正レンズが光軸上に進出した進出位置とその光軸から退避した退避位置との間で進出退避自在に上記ブレ補正レンズ保持枠を保持し、上記進出位置に進出した状態にある上記ブレ補正レンズにより上記被写体像のブレが補正されるように上記ブレ補正レンズ保持枠を駆動するブレ補正駆動機構と、
当該レンズ鏡胴の、上記撮影状態から上記収納状態への移動の途中で上記ブレ補正レンズ保持枠を上記進出位置から上記退避位置に退避させる退避作用部材とを備えたことを特徴とする。
【００１８】
本発明の撮影装置は、本発明のレンズ鏡胴が備えられたものである。従って、本発明の撮影装置によれば、レンズ鏡胴の光軸方向への収納動作を利用して、ブレ補正レンズ部のみを、ブレ補正機構を伴わずに光軸直交方向に退避させるレンズ鏡胴を備えた撮影装置が実現される。
【００１９】
ここで、本発明の撮影装置は、
「上記ブレ補正駆動機構が、上記ブレ補正レンズ保持枠を、上記進出位置と上記退避位置との間で回動自在に軸支したものであって、
上記ブレ補正レンズ保持枠を上記進出位置に向けて付勢する付勢部材を備え、
上記退避作用部材が、当該レンズ鏡胴の結像側から被写体側に向かって突出し光軸方向に対し斜め方向に向いた斜面が先端に形成され、当該レンズ鏡胴の、上記撮影状態から上記収納状態への移動の途中で上記ブレ補正レンズ保持枠を上記斜面で押すことにより、上記付勢部材による付勢力に抗してそのブレ補正レンズ保持枠を上記進出位置から上記退避位置に回動させる突起である」
ことが好ましい。
【００２０】
また、本発明の撮影装置は、
「上記ブレ補正駆動機構が、
上記筒長の変更に伴って光軸方向に直線的に移動して上記ブレ補正レンズ保持枠の光軸方向の位置を規定するブレ補正レンズガイド枠と、
上記光軸に直交するＸＹ平面内のＸ方向にスライド自在に上記ブレ補正レンズガイド枠に支持された第１スライダと、
上記光軸に直交するＸＹ平面内のＹ方向にスライド自在に上記第１スライダに支持される、上記ブレ補正レンズ保持枠を軸支した第２スライダと、
上記第２スライダを、上記第１スライダを介して、上記ＸＹ平面内で上記ブレ補正レンズガイド枠に対し相対的に移動させる駆動部材とを有し、
上記駆動部材が、
上記第２スライダ上に固定されたコイルと、
上記ブレ補正レンズガイド枠上の上記コイルと対向する位置に固定されたマグネットとを有する」
ことが好ましい。
【発明の効果】
【００２１】
本発明によれば、レンズ鏡胴の光軸方向への収納動作を利用して、ブレ補正レンズ部のみを、ブレ補正機構を伴わずに光軸直交方向に退避させるレンズ鏡胴、およびこのようなレンズ鏡胴を備えた撮影装置が提供される。
【図面の簡単な説明】
【００２２】
【図１】本発明の撮影装置の一実施形態であるデジタルカメラの前面を斜め上から見て示した斜視図である。
【図２】本発明の撮影装置の一実施形態であるデジタルカメラの背面を斜め上から見て示した斜視図である。
【図３】図１に示すレンズ鏡胴の内部構造を示す光軸に沿う方向の断面図である。
【図４】スライダおよびブレ補正レンズ保持枠が組み込まれた図３に示すブレ補正レンズガイド枠を被写体側から見た斜視図である。
【図５】スライダおよびブレ補正レンズ保持枠が組み込まれた図３に示すブレ補正レンズガイド枠を結像側から見た斜視図である。
【図６】スライダおよびブレ補正レンズ保持枠が組み込まれた図３に示すブレ補正レンズガイド枠を結像側から見た平面図である。
【図７】図４〜図６に示すスライダおよびブレ補正レンズ保持枠を被写体側から見た斜視図である。
【図８】図４〜図６に示すスライダおよびブレ補正レンズ保持枠を被写体側から見た平面図である。
【図９】図４〜図８に示すアクチュエータ部を被写体側から見た斜視図である。
【発明を実施するための形態】
【００２３】
以下、図面を参照して本発明の実施の形態を説明する。
【００２４】
図１、図２は、本発明の撮影装置の一実施形態であるデジタルカメラ１の、それぞれ前面および背面を斜め上から見て示した斜視図である。
【００２５】
デジタルカメラ１の前面には、カメラ本体１０から繰り出して突出した撮影状態にあるレンズ鏡胴１００が示されている。このレンズ鏡胴１００は図１に示す撮影状態とその撮影状態の筒長よりも筒長を収縮させてカメラ本体１０内に収納された図示しない収納状態とを有する。また、このレンズ鏡胴１００には、焦点距離可変なズームレンズであって被写体像のブレを補正するブレ補正レンズと被写体に焦点を合わせるフォーカスレンズとを含み、被写体光を受光して被写体像を表す画像信号を生成するＣＣＤイメージセンサ２５０（図３〜図５参照）に被写体を結像してその被写体像を形成する結像レンズ２００が内蔵されている。このレンズ鏡胴１００は、本発明のレンズ鏡胴の一実施形態である。レンズ鏡胴１００についての詳細な説明は後述する。
【００２６】
さらに、このデジタルカメラ１の前面には、撮影時にフラッシュ光を発するフラッシュ発光部１１が備えられ、このデジタルカメラ１の上面には、このデジタルカメラ１に撮影指示を与える、半押しおよび全押しの２段階に押下可能なシャッタボタン１２が配備されている。
【００２７】
また、このデジタルカメラ１の図２に示す背面には、Ｔ／Ｗ（テレ／ワイド）切替レバー２１、撮影／再生切替ボタン２２、ファンクションボタン２３、４方向キー２４、ＯＫキー２５、ＤＩＳＰ／ＢＡＣＫキー２６、および画面表示用のＬＣＤパネル２７が配置されている。
【００２８】
ここで、Ｔ／Ｗ切替レバー２１は、結像レンズ２００の焦点距離切替用のレバーである。また、撮影／再生切替ボタン２２は、１回押すごとにこのデジタルカメラ１のモードを撮影モードと再生モードとに切り替えるためのボタンである。
【００２９】
さらにファンクションボタン２３は、これを押すとＬＣＤパネル２７上にメニューが表示される。その後４方向キー２４の左右ボタンでメニューを切り替え、４方向キー２４の上下ボタンでそのメニュー中のいずれかの項目を選択し、ＯＫボタン２５を押すことによりその選択した項目が設定される。この操作より、例えばＩＳＯ感度、フラッシュ発光の有無、その他撮影モードあるいは再生モード中の様々な項目の設定が行なわれる。
【００３０】
さらに、ＤＩＳＰ／ＢＡＣＫキー２６は、例えば再生モードにおいてＬＣＤパネル２７上に表示される画像の表示態様（１枚の画像のみ表示／複数枚のサムネイル画像を並べて表示など）を順次切り替えたり、表示画像を１つ前の画面に戻したりするときに押下するキーである。
【００３１】
次に、図３を参照して、図１に示すレンズ鏡胴１００の構造を説明する。
【００３２】
図３は、図１に示すレンズ鏡胴１００の内部構造を示す光軸に沿う方向の断面図であり、収納状態を示す図である。
【００３３】
図３に示すレンズ鏡胴１００は、相対的に筒長の短い収納状態と相対的に筒長の長い撮影状態との間で筒長の変更が自在な、すなわち、沈胴、繰出し自在なレンズ鏡胴である。このレンズ鏡胴１００は、固定筒１１０と、駆動筒１２０と、直進筒１３０と、回転筒１４０と、移動筒１５０とを備えている。また、このレンズ鏡胴１００には、移動筒１５０に固定された第１レンズ群２２０、直進筒１３０に保持された第２レンズ群２３０、直進筒１３０に保持されたブレ補正レンズ２４０、およびフォーカスレンズ２１０からなる結像レンズ２００が内蔵されており、沈胴、繰出し、テレ／ワイド（Ｔ／Ｗ）切替え、およびピント調整に応じて、ブレ補正レンズ２４０を除くいずれかあるいは全てのレンズが光軸方向である矢印Ａ方向に移動するように構成されている。また、ブレ補正レンズ２４０は、撮影状態から収納状態への移動の途中で光軸上から退避するように構成されるとともに、手ぶれに応じて光軸に直交するＸＹ平面内で移動するように構成されている。このブレ補正レンズ２４０が、本発明にいうブレ補正レンズの一実施形態であり、この結像レンズ２００が、本発明にいう結像レンズの一実施形態である。尚、本実施形態でいう「第１レンズ群２２０、第２レンズ群２３０」のそれぞれは、光学的に区分されるレンズ群ではなく、移動単位としてのレンズ群を意味するものである。
【００３４】
固定筒１１０は、光軸方向である矢印Ａ方向の移動やその光軸まわりの回転が禁止された状態で、ベース２８０に固定されている。
【００３５】
ここで、図２に示すＴ／Ｗ切替レバー２１を操作すると、テレ側に操作するかワイド側に操作するかに応じて、図示しないズーム駆動モータが正転あるいは逆転する。このズーム駆動モータの回転駆動力は、図示しない駆動ギアを介して駆動筒１２０に伝達される。
【００３６】
駆動筒１２０は、固定筒１１０の内面に取り巻かれて、この駆動筒１２０および図示しないズーム駆動モータの双方と係合した図示しない駆動ギアを介した駆動力を受けて、固定筒１１０に対し光軸を回転軸として回転を伴いながら光軸方向である矢印Ａ方向に移動するものである。
【００３７】
ここで、ブレ補正レンズ２４０はブレ補正レンズ保持枠２４１に保持されている。このブレ補正レンズ保持枠２４１の光軸方向の位置は、後述する直進筒１３０の移動に伴って、光軸方向である矢印Ａ方向に直進筒１３０と一体的かつ直線的に移動するブレ補正レンズガイド枠２４２によって規定されている。また、詳細な説明は後述するが、このブレ補正レンズ保持枠２４１は、光軸に直交するＸＹ平面内でスライド自在にブレ補正レンズガイド枠２４２に支持された第２スライダ２４３２（図５〜図８参照）に、光軸上に進出した進出位置とその光軸から退避した退避位置との間で回動自在に軸支されている。このブレ補正レンズ保持枠２４１が、本発明にいうブレ補正レンズ保持枠の一実施形態であり、このブレ補正レンズガイド枠２４２が、本発明にいうブレ補正レンズガイド枠の一実施形態である。
【００３８】
直進筒１３０には、結像レンズ２００を構成するレンズのうちのブレ補正レンズ２４０の光軸方向の位置を規定するブレ補正レンズガイド枠２４２が結像側（矢印Ａ方向の右側）に固定されるとともに、結像レンズ２００を構成するレンズのうちの第２レンズ群２３０を保持する第２レンズ群保持枠（図示省略）が、ブレ補正レンズガイド枠２４２よりも被写体側（矢印Ａ方向の左側）に保持されている。直進筒１３０は、駆動筒１２０の内面に取り巻かれ、駆動筒１２０の回転に伴って、回転を伴わずに光軸方向である矢印Ａ方向に駆動筒１２０と一体的かつ直進的に移動するものである。尚、図３に示す収納状態では、ブレ補正レンズ２４０を保持するブレ補正レンズ保持枠２４１が、光軸から退避した退避位置に回動して、第２レンズ群２３０を避けた位置に位置している。そのため、図３に示す収納状態では、第２レンズ群２３０が、ブレ補正レンズガイド枠２４２に近接する位置まで移動させられ、収納状態におけるレンズ鏡胴１００の光軸方向の薄型化を実現している。また、第２レンズ群２３０は、図示しない第２レンズ群駆動装置によって光軸方向である矢印Ａ方向に移動するように構成されている。
【００３９】
回転筒１４０は、直進筒１３０の内面に取り巻かれて、駆動筒１２０の回転に伴って、固定筒１１０に対し光軸を回転軸として駆動筒１２０と一体に回転しながら、光軸方向である矢印Ａ方向に移動するものである。
【００４０】
移動筒１５０には、結像レンズ２００を構成するレンズのうちの最も被写体側に配備された第１レンズ群２２０を保持する第１レンズ群保持枠２２１が被写体側に固定されている。移動筒１５０は、回転筒１４０の内面に取り巻かれるとともに被写体側前面１５０ａが回転筒１４０よりも突出し、回転筒１４０の回転に伴って、回転を伴わずに光軸方向である矢印Ａ方向に直進的に移動するものである。
【００４１】
フォーカスレンズ２１０は、図示しないフォーカスレンズ駆動装置によって光軸方向である矢印Ａ方向に移動されて撮影画角の中央領域に焦点を合わせる、フォーカス機能によるフォーカシングが行われる。
【００４２】
また、図３には、フォーカスレンズ２１０の背面に配備されたＣＣＤイメージセンサ２５０も示されている。
【００４３】
ＣＣＤイメージセンサ２５０は、ＣＣＤイメージセンサ２５０に半田接続されたＣＣＤ用フレキシブル回路基板２６０を背面側に挟み込むようにしてＣＣＤプレート２７０に接着固定されている。ＣＣＤ用フレキシブル回路基板２６０は、金属導体が樹脂フィルムで挟み付けられた、帯状の形状を有するものである。そして、ＣＣＤイメージセンサ２５０が接着固定されたＣＣＤプレート２７０は、ベース２８０にねじ止め固定されている。このベース２８０には、上述したように、固定筒１１０も固定されている。
【００４４】
また、ベース２８０には、レンズ鏡胴１００の結像側から被写体側に向かって突出した突起２８１が設けられている。そして、この突起２８１は、先端に、光軸方向に対し斜め方向に向いた斜面２８１１を有する。詳細な説明は後述するが、上述したブレ補正レンズ保持枠２４１は、このような突起２８１によって、進出位置から退避位置に回動させられる。この突起２８１が、本発明にいう退避作用部材の一実施形態であり、この斜面２８１１が、本発明にいう斜面の一実施形態である。
【００４５】
シャッタボタン１２（図１，図２参照）が半押しされると、フォーカスレンズ２１０の位置をその半押しされた時点の位置に固定するフォーカスロックが設定され、シャッタボタン１２（図１，図２参照）が全押しされると、シャッタが切られて実際の撮影が行われる。即ち、第１レンズ群２２０、第２レンズ群２３０、ブレ補正レンズ２４０、およびフォーカスレンズ２１０を経由してきた被写体光はＣＣＤイメージセンサ２５０に入射されて電気信号であるアナログの画像信号に変換され、さらに図示しない電子回路により画像処理等が行なわれて記録メディア上に画像データ記録される。その電子回路による処理については本発明の主題ではなく、公知の一般的な技術を適用すればよいため、ここでの詳細説明は省略する。
【００４６】
次に、図４〜９を参照して、図３に示すブレ補正レンズ２４０の動作について説明する。
【００４７】
図４は、スライダ２４３およびブレ補正レンズ保持枠２４１が組み込まれた図３に示すブレ補正レンズガイド枠２４２を被写体側から見た斜視図であり、図５，図６は、スライダ２４３およびブレ補正レンズ保持枠２４１が組み込まれた図３に示すブレ補正レンズガイド枠２４２を結像側から見た斜視図および平面図である。尚、図４には、ブレ補正レンズ保持枠２４１のブレ補正レンズ保持部２４１１が進出位置に位置する状態が実線で示されており、そのブレ補正レンズ保持部２４１１が退避位置に位置する状態が一点鎖線で示されている。
【００４８】
図４〜図６には、ブレ補正レンズ保持枠２４１、ブレ補正レンズガイド枠２４２、およびスライダ２４３が示されている。
【００４９】
ブレ補正レンズ保持枠２４１は、ブレ補正レンズ２４０を保持している。このブレ補正レンズ保持枠２４１は、ブレ補正レンズ２４０を保持するブレ補正レンズ保持部２４１１と、ブレ補正レンズ保持部２４１１から延びた腕部２４１２とを有し、腕部２４１２の途中が、後述する第２スライダ２４３２に軸支されている。
【００５０】
ブレ補正レンズガイド枠２４２は、レンズ鏡胴１００の筒長の変更に伴って光軸方向に直進筒１３０（図３参照）と一体的かつ直線的に移動するものである。そして、このブレ補正レンズガイド枠２４２によって、ブレ補正レンズ保持枠２４１の光軸方向の位置が規定される。
【００５１】
スライダ２４３は、第１スライダ２４３１と第２スライダ２４３２とから構成されている。
【００５２】
第１スライダ２４３１は、光軸に直交するＸＹ平面内のＸ方向である矢印Ｂ方向にスライド自在にブレ補正レンズガイド枠２４２に支持されている。この第１スライダ２４３１が、本発明にいう第１スライダの一実施形態である。
【００５３】
第２スライダ２４３２は、光軸に直交するＸＹ平面内のＹ方向である矢印Ｃ方向にスライド自在に第１スライダ２４３１に支持されている。すなわち、第２スライダ２４３２は、第１スライダ２４３１を介して、ＸＹ平面内でブレ補正レンズガイド枠２４２に対し相対的に移動させられる。また、この第２スライダ２４３２は、ブレ補正レンズ２４０が光軸上に進出した進出位置と光軸から退避した退避位置との間で回動自在にブレ補正レンズ保持枠２４１を軸支している。この第２スライダ２４３２が、本発明にいう第２スライダの一実施形態である。また、ブレ補正レンズ保持枠２４１のブレ補正レンズ保持部２４１１は、付勢部材（ねじりバネ）３００によって進出位置に向けて付勢されている。この付勢部材（ねじりバネ）３００が、本発明にいう付勢部材の一実施形態である。
【００５４】
ここで、レンズ鏡胴１００を、撮影状態から収納状態に移動させると、ブレ補正レンズガイド枠２４２が、直進筒１３０（図３参照）と一体的かつ直線的に、光軸方向の被写体側から結像側に向かって移動する。そして、レンズ鏡胴１００の、撮影状態から収納状態への移動の途中で、ブレ補正レンズ保持枠２４１が、ベース２８０に設けられた突起２８１先端の斜面２８１１で押される。より詳細には、ブレ補正レンズ保持枠２４１における腕部２４１２のうちの軸支された部分のブレ補正レンズ保持部２４１１とは反対側の部分、すなわちブレ補正レンズ保持枠２４１における腕部２４１２の先端２４１２ａ近傍が、斜面２８１１で押される。これにより、進出位置に向けて付勢されているブレ補正レンズ保持枠２４１のブレ補正レンズ保持部２４１１が、斜面２８１１に沿って、付勢部材（ねじりバネ）３００による付勢力に抗して回動し、進出位置から退避位置に退避する。
【００５５】
また、レンズ鏡胴１００を、収納状態から撮影状態に移動させると、ブレ補正レンズガイド枠２４２が、直進筒１３０（図３参照）と一体的かつ直線的に、光軸方向の結像側から被写体側に向かって移動する。そして、レンズ鏡胴１００の、収納状態から撮影状態への移動の途中で、ブレ補正レンズ保持枠２４１が、ベース２８０に設けられた突起２８１先端の斜面２８１１で押された状態が解除される。これにより、付勢部材（ねじりバネ）３００による付勢力に抗して退避位置に回動させられていたブレ補正レンズ保持枠２４１のブレ補正レンズ保持部２４１１が、その付勢力によって回動し、退避位置から進出位置に進出する。
【００５６】
図７，図８は、図４〜図６に示すスライダ２４３およびブレ補正レンズ保持枠２４１を被写体側から見た斜視図および平面図であり、図９は、図４〜図８に示すアクチュエータ部を被写体側から見た斜視図である。尚、図７，図８には、ブレ補正レンズ保持枠２４１のブレ補正レンズ保持部２４１１が進出位置に位置する状態が実線で示されており、そのブレ補正レンズ保持部２４１１が退避位置に位置する状態が一点鎖線で示されている。
【００５７】
第２スライダ２４３２上には、２つのコイル３１１，３１２と、端部がコイル３１１，３１２に接続されたＶＣＭ（Ｖｏｉｃｅ  Ｃｏｉｌ  Ｍｏｔｏｒ）用フレキシブル回路基板３２０とが固定されている。ＶＣＭ用フレキシブル回路基板３２０は、金属導体が樹脂フィルムで挟み付けられた、帯状の形状を有するものである。このようなＶＣＭ用フレキシブル回路基板３２０は、２つのコイル３１１，３１２に電気信号を伝達するものである。そして、２つのコイル３１１，３１２には、図示しない手ぶれ検出センサおよび制御回路によって、被写体像のブレ補正のための駆動の電気信号が供給される。
【００５８】
また、ブレ補正レンズガイド枠２４２上の、２つのコイル３１１，３１２それぞれと対向する位置には、２つのマグネット３３１，３３２が固定されている。さらに、このブレ補正レンズガイド枠２４２上の、２つのコイル３１１，３１２および２つのマグネット３３１，３３２の双方を挟み込む位置には、ヨーク３４０が固定されている。
【００５９】
これら、２つのコイル３１１，３１２、ＶＣＭ用フレキシブル回路基板３２０、２つのマグネット３３１，３３２、およびヨーク３４０の組み合わせが、本発明にいう駆動部材の一実施形態である。また、ブレ補正レンズガイド枠２４２、第１スライダ２４３１、第２スライダ２４３２、２つのコイル３１１，３１２、ＶＣＭ用フレキシブル回路基板３２０、２つのマグネット３３１，３３２、およびヨーク３４０の組み合わせが、本発明にいうブレ補正駆動機構の一実施形態である。
【００６０】
このような駆動部材によって、第２スライダ２４３２が、第１スライダ２４３１を介して、ＸＹ平面内でブレ補正レンズガイド枠２４２に対し相対的に移動させられる。すなわち、レンズ鏡胴１００が撮影状態とされ、ブレ補正レンズ保持枠２４１のブレ補正レンズ保持部２４１１が進出位置に進出した状態にあるとき、ブレ補正レンズ保持枠２４１に保持されたブレ補正レンズ２４０によって被写体像のブレが補正されるように、手ぶれに応じて、第２スライダ２４３２に軸支されたブレ補正レンズ保持枠２４１が、ＸＹ平面内でブレ補正レンズガイド枠２４２に対し相対的に移動させられる。
【００６１】
以上説明した本実施形態のレンズ鏡胴１００は、被写体像のブレが補正されるようにブレ補正駆動機構で駆動される、付勢部材（ねじりバネ）３００で進出位置に向けて付勢され進出位置に進出した状態にあるブレ補正レンズ２４０を保持するブレ補正レンズ保持枠２４１が、レンズ鏡胴１００の撮影状態から収納状態への移動の途中で、レンズ鏡胴１００の結像側から被写体側に向かって突出し光軸方向に対し斜め方向に向いた斜面２８１１が先端に形成された突起２８１の斜面２８１１で押されることにより、ブレ補正レンズ保持枠２４１が、付勢部材による付勢力に抗して進出位置から退避位置に回動する。すなわち、本実施形態のレンズ鏡胴１００は、ブレ補正駆動機構で駆動されるブレ補正レンズ２４０が、レンズ鏡胴１００の撮影状態から収納状態への移動動作を利用して進出位置から退避位置に回動するため、ブレ補正レンズ２４０を進出位置から退避位置に回動させるための専用のアクチュエータが不要である。従って、本実施形態のレンズ鏡胴１００によれば、レンズ鏡胴の光軸方向への収納動作を利用して、ブレ補正レンズ部のみを、ブレ補正機構を伴わずに光軸直交方向に退避させるレンズ鏡胴が実現される。また、移動することを前提として設けられたブレ補正レンズ２４０を、レンズ鏡胴１００の撮影状態から収納状態への移動の途中で進出位置から退避位置に退避させるレンズとすることで、移動可能なレンズ構造に起因した画像の乱れが抑制される。
【００６２】
尚、上述した実施形態では、本発明の撮影装置が、デジタルカメラである例を挙げて説明したが、本発明の撮影装置は、これに限られるものではなく、例えば銀塩カメラやインスタントカメラなどであってもよい。
【符号の説明】
【００６３】
１    デジタルカメラ
１０    カメラ本体
１１    フラッシュ発生部
１２    シャッタボタン
２１    Ｔ／Ｗ（テレ／ワイド）切替レバー
２２    撮影／再生切替ボタン
２３    ファンクションボタン
２４    ４方向キー
２５    ＯＫキー
２６    ＤＩＳＰ／ＢＡＣＫキー
２７    ＬＣＤパネル
１００    レンズ鏡胴
１１０    固定筒
１２０    駆動筒
１３０    直進筒
１４０    回転筒
１５０    移動筒
１５０ａ    被写体側前面
２００    結像レンズ
２１０    フォーカスレンズ
２２０    第１レンズ群
２２１    第１レンズ群保持枠
２３０    第２レンズ群
２４０    ブレ補正レンズ
２４１    ブレ補正レンズ保持枠
２４１１    ブレ補正レンズ保持部
２４１２    腕部
２４１２ａ    先端
２４２    ブレ補正レンズガイド枠
２４３    スライダ
２４３１    第１スライダ
２４３２    第２スライダ
２５０    ＣＣＤイメージセンサ
２６０    ＣＣＤ用フレキシブル回路基板
２７０    ＣＣＤプレート
２８０    ベース
２８１    突起
２８１１    斜面
３００    付勢部材（ねじりバネ）
３１１，３１２    コイル
３２０    ＶＣＭ用フレキシブル回路基板
３３１，３３２    マグネット
３４０    ヨーク
【図１】
2011170262.tif 000003
【図２】
2011170262.tif 000004
【図３】
2011170262.tif 000005
【図４】
2011170262.tif 000006
【図５】
2011170262.tif 000007
【図６】
2011170262.tif 000008
【図７】
2011170262.tif 000009
【図８】
2011170262.tif 000010
【図９】
2011170262.tif 000011